【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
外部からの電磁波によって充電が可能なバッテリーと、
表面にペン先が接触しているか否かを検出する第１のセンサと、
前記第１のセンサが前記表面に前記ペン先が接触していると検出したときのみ、前記ペン先の動きを検出する第２のセンサと、
前記第１のセンサ及び前記第２のセンサと電気的に接続される制御回路と、
前記制御回路と電気的に接続されるメモリと、を有し、
前記第１のセンサ、前記第２のセンサ、前記制御回路、及び前記メモリは、前記バッテリーより電力供給を受けて動作することを特徴とする電子ペン。
【請求項２】
外部からの電磁波を受信するための第１のアンテナと、
前記第１のアンテナと電気的に接続される整流回路と、
前記整流回路と電気的に接続される充電回路と、
前記充電回路と電気的に接続される前記電磁波によって充電が可能なバッテリーと、
前記バッテリーと電気的に接続され前記充電回路に電気的に接続する充電制御回路と、
表面にペン先が接触しているか否かを検出する第１のセンサと、
前記第１のセンサが、前記表面に前記ペン先が接触していると検出したときのみ、前記ペン先の動きを検出する第２のセンサと、
前記第１のセンサ及び前記第２のセンサと電気的に接続される制御回路と、
前記制御回路と電気的に接続されるメモリと、を有し、
前記第１のセンサ、前記第２のセンサ、前記制御回路、及び前記メモリは、前記バッテリーより電力供給を受けて動作することを特徴とする電子ペン。
【請求項３】
請求項１又は請求項２において、
前記バッテリーは、リチウム電池、リチウムポリマー電池、リチウムイオン電池、ニッケル水素電池、ニカド電池、有機ラジカル電池、鉛蓄電池、空気二次電池、ニッケル亜鉛電池、銀亜鉛電池または、電気二重層コンデンサーであることを特徴とする電子ペン。
【請求項４】
請求項１乃至請求項３のいずれか一項において、前記バッテリーは、定電流源回路と電気的に接続されるスイッチ回路と、前記バッテリーの充電状況によって前記スイッチ回路を制御する前記充電制御回路と電気的に接続されていることを特徴とする電子ペン。
【請求項５】
請求項１乃至請求項４のいずれか一項において、前記バッテリーは、前記バッテリーの残量を検出する残量検出回路と電気的に接続されていることを特徴とする電子ペン。
【請求項６】
請求項１乃至請求項５のいずれか一項において、
前記第１のセンサは、光センサであり、
前記ペン先の周辺に前記光センサを設けることを特徴とする電子ペン。
【請求項７】
請求項６において、
前記光センサは、複数個であることを特徴とする電子ペン。
【請求項８】
請求項１乃至請求項５のいずれか一項において、
前記第１のセンサは、圧力センサであり
前記ペン先とペン軸との接続部分に前記圧力センサを設けることを特徴とする電子ペン。
【請求項９】
請求項２乃至請求項５のいずれか一項において、
前記第１のセンサとして、ＲＦＩＤチップ使用し、
前記電磁波を受信し、前記第１のアンテナに生じる誘導起電力により、前記表面に前記ペン先が接触しているか否かを検出することを特徴とする電子ペン。
【請求項１０】
請求項１乃至請求項９のいずれか一項において、
前記第２のセンサは、モーションセンサであることを特徴とする電子ペン。
【請求項１１】
請求項１０において、前記モーションセンサは、加速度センサ又は角速度センサであることを特徴とする電子ペン。
【請求項１２】
請求項１乃至請求項１１のいずれか一項において、
前記メモリは、着脱可能な構造であることを特徴とする電子ペン。
【請求項１３】
外部からの電磁波によって充電が可能なバッテリーと、表面にペン先が接触しているか否かを検出する第１のセンサと、前記ペン先の動きを検出する第２のセンサと、前記第１のセンサ及び前記第２のセンサと電気的に接続される制御回路と、前記制御回路と電気的に接続されるメモリと、を有する電子ペンと、
前記表面及び前記バッテリーを充電するための前記電磁波を送信する第２のアンテナを有する表示部と、を有し、
前記第２のセンサは、前記表面に前記ペン先が接触していることを前記第１のセンサが検出している場合に前記ペン先の動きを検出し、
前記第１のセンサ、前記第２のセンサ、前記制御回路、及び前記メモリは、前記バッテリーより電力供給を受けて動作することを特徴とする電子ペンシステム。
【請求項１４】
外部からの電磁波によって充電が可能なバッテリーと、ペン先が接触しているか否かを検出する第１のセンサと、前記第１のセンサと電気的に接続される制御回路と、前記制御回路と電気的に接続されるメモリと、を有する電子ペンと、
前記バッテリーを充電するための前記電磁波を送信する第２のアンテナと、前記ペン先が接触している場合に前記ペン先の動きを検出する第２のセンサと、を有する表示部と、を有し、
前記第１のセンサ、前記制御回路、及び前記メモリは、前記バッテリーより電力供給を受けて動作することを特徴とする電子ペンシステム。
【請求項１５】
請求項１３又は請求項１４において、
前記第２のセンサは、モーションセンサであることを特徴とする電子ペンシステム。
【請求項１６】
請求項１５において、前記モーションセンサは、加速度センサ又は角速度センサであることを特徴とする電子ペンシステム。
【請求項１７】
外部からの電磁波を受信するための第１のアンテナと、
前記第１のアンテナと電気的に接続される整流回路と、
前記整流回路と電気的に接続される充電回路と、
前記充電回路と電気的に接続される前記電磁波によって充電が可能なバッテリーと、
前記バッテリーと電気的に接続され前記充電回路に電気的に接続する充電制御回路と、
表面にペン先が接触しているか否かを検出する第１のセンサと、前記ペン先の動きを検出する第２のセンサと、前記第１のセンサ及び前記第２のセンサと電気的に接続される制御回路と、前記制御回路と電気的に接続されるメモリと、を有する電子ペンと、
前記表面及び前記バッテリーを充電するための前記電磁波を送信する第２のアンテナを有する表示部と、を有し、
前記第２のセンサは、前記表面に前記ペン先が接触していることを前記第１のセンサが検出している場合に前記ペン先の動きを検出し、
前記第１のセンサ、前記第２のセンサ、前記制御回路、及び前記メモリは、前記バッテリーより電力供給を受けて動作することを特徴とする電子ペンシステム。
【請求項１８】
外部からの電磁波を受信するための第１のアンテナと、
前記第１のアンテナと電気的に接続される整流回路と、
前記整流回路と電気的に接続される充電回路と、
前記充電回路と電気的に接続される前記電磁波によって充電が可能なバッテリーと、
前記バッテリーと電気的に接続され前記充電回路に電気的に接続する充電制御回路と、
ペン先が接触しているか否かを検出する第１のセンサと、前記第１のセンサと電気的に接続される制御回路と、前記制御回路と電気的に接続されるメモリと、を有する電子ペンと、
前記バッテリーを充電するための前記電磁波を送信する第２のアンテナと、前記ペン先が接触している場合に前記ペン先の動きを検出する第２のセンサと、を有する表示部と、を有し、
前記第１のセンサ、前記制御回路、及び前記メモリは、前記バッテリーより電力供給を受けて動作することを特徴とする電子ペンシステム。
【請求項１９】
請求項１３乃至請求項１８のいずれか一項において、
前記バッテリーは、リチウム電池、リチウムポリマー電池、リチウムイオン電池、ニッケル水素電池、ニカド電池、有機ラジカル電池、鉛蓄電池、空気二次電池、ニッケル亜鉛電池、銀亜鉛電池または、電気二重層コンデンサーであることを特徴とする電子ペンシステム。
【請求項２０】
請求項１３乃至請求項１９のいずれか一項において、前記バッテリーは、定電流源回路と電気的に接続されるスイッチ回路と、前記バッテリーの充電状況によって前記スイッチ回路を制御する前記充電制御回路と電気的に接続されていることを特徴とする電子ペンシステム。
【請求項２１】
請求項１３乃至請求項２０のいずれか一項において、前記バッテリーは、前記バッテリーの残量を検出する残量検出回路と電気的に接続されていることを特徴とする電子ペンシステム。
【請求項２２】
請求項１３乃至請求項２１のいずれか一項において、
前記第１のセンサは、光センサであり、
前記ペン先の周辺に前記光センサを設けることを特徴とする電子ペンシステム。
【請求項２３】
請求項２２において、
前記光センサは、複数個であることを特徴とする電子ペンシステム。
【請求項２４】
請求項１３乃至請求項２１のいずれか一項において、
前記第１のセンサは、圧力センサであり
前記ペン先とペン軸との接続部分に前記圧力センサを設けることを特徴とする電子ペンシステム。
【請求項２５】
請求項１７乃至請求項２１のいずれか一項において、
前記第１のセンサとして、ＲＦＩＤチップ使用し、
前記電磁波を受信し、前記第１のアンテナに生じる誘導起電力により、前記表面に前記ペン先が接触しているか否かを検出することを特徴とする電子ペンシステム。
【請求項２６】
請求項１３乃至請求項２５のいずれか一項において、
前記メモリは、着脱可能な構造を有していることを特徴とする電子ペンシステム。
【請求項２７】
請求項１３乃至請求項２６のいずれか一項において、
前記バッテリーの充電は、前記表示部から前記バッテリーの充電量がモニターされ、
自動で充電を行うことを特徴とする電子ペンシステム。